(57)【要約】      （修正有）【課題】複数の画像データから画像を順に表示させるとき、前または後に画像が存在しない場合には、無駄な操作を行うのを防止することができる画像表示装置、画像表示方法、及び画像表示プログラムを提供する。【解決手段】画像表示装置は、複数の画像データを所定の順序で記憶する記憶手段と、画像データに基づく画像を表示する表示画面を有する表示手段と、表示画面に表示すべき画像を選択する入力手段と、入力手段により選択された選択画像を表示画面の中央に表示させるとともに、上記順序において選択画像に係る画像データの前または後に画像データが存在する場合、この画像データに基づく前画像または後画像の少なくとも一方の一部を、前記選択画像を挟む表示画面の側部に表示させる制御手段と、を備え、制御手段は、入力手段からの入力により、表示画面の中央に配置する画像を、選択画像から前画像または後画像のいずれかに変更する。【選択図】図９
2012128591.tif 000002
【特許請求の範囲】
【請求項１】
複数の画像データを所定の順序で記憶する記憶手段と、
前記画像データに基づく画像を表示する表示画面を有する表示手段と、
前記表示画面に表示すべき画像を選択する入力手段と、
前記入力手段により選択された選択画像を前記表示画面の中央に表示させるとともに、前記順序において前記選択画像に係る画像データの前または後に画像データが存在する場合、当該画像データに基づく前画像または後画像の少なくとも一方の一部を、前記選択画像を挟む前記表示画面の側部に表示させる制御手段と、
を備え、
前記制御手段は、前記入力手段からの入力により、前記表示画面の中央に配置する画像を、前記選択画像から前記前画像または後画像のいずれかに変更する、画像表示装置。
【請求項２】
前記制御手段は、
前記前画像及び後画像が、前記表示画面の端部からはみ出している距離を一定にするように制御する、請求項１に記載の画像表示装置。
【請求項３】
前記入力手段は、前記表示画面に配置されるタッチスイッチにより構成されている、請求項１または２に記載の画像表示装置。
【請求項４】
画像データに基づく画像を表示する表示画面と、前記表示画面に表示すべき画像を選択する入力手段と、を有する画像表示装置において、画像を表示する方法であって、
所定の順序で配置された複数の画像データに基づく画像から、１つの画像を選択する第１ステップと、
選択された選択画像を前記表示画面の中央に表示するとともに、前記順序において前記選択画像に係る画像データの前または後に画像データが存在する場合、当該画像データに基づく前画像または後画像の少なくとも一方の一部を、前記選択画像を挟んで前記表示画面の側部に表示する第２ステップと、
前記入力手段からの入力があった場合には、前記表示画面の中央に配置する画像を、前記選択画像から前記前画像または後画像のいずれかに変更する第３ステップと、
を備えている、画像表示方法。
【請求項５】
前記第２ステップでは、
前記前画像及び後画像が、前記表示画面の端部からはみ出している距離を一定にする、請求項４に記載の画像表示方法。
【請求項６】
複数の画像データを所定の順序で記憶した記憶手段、前記画像データに基づく画像を表示する表示画面、及び前記画面に表示すべき画像を選択する入力手段と、を有する画像表示装置内のコンピュータに、
前記複数の画像データに基づく画像から１つの画像を、前記入力手段により、選択させる第１ステップと、
選択された選択画像を前記表示画面の中央に表示させるとともに、前記順序において前記選択画像に係る画像データの前または後に画像データが存在する場合、当該画像データに基づく前画像または後画像の少なくとも一方の一部を、前記選択画像を挟んで前記表示画面の側部に表示させる第２ステップと、
前記入力手段からの入力があった場合には、前記表示画面の中央に配置する画像を、前記選択画像から前記前画像または後画像のいずれかに変更する第３ステップと、
を実行させる画像表示プログラム。
【請求項７】
前記第２ステップでは、
前記前画像及び後画像が、前記表示画面の端部からはみ出している距離を一定にする、請求項６に記載の画像表示プログラム。
【発明の詳細な説明】
【技術分野】
【０００１】
本発明は、画像表示装置、画像表示方法、及び画像表示プログラムに関する。
【背景技術】
【０００２】
特許文献１に記載されているようなデジタルカメラでは、カメラの背面に設けられた液晶画面により、撮影した画像を確認できるようになっている。このとき、撮影された複数の画像から液晶画面に表示すべき画像を選択すると、選択された画像は、液晶画面に全画面表示されるようになっている。そして、前進または後進のボタンを押下することで、選択された画像の前または後に撮影された画像を液晶画面に表示できるようになっている。
【先行技術文献】
【特許文献】
【０００３】
【特許文献１】特開２００６−１９１２３２号公報
【発明の開示】
【発明が解決しようとする課題】
【０００４】
ところが、選択された画像は、全画面表示されるため、その画像の前または後に撮影された画像が存在しない場合、例えば、表示されている画像が撮影された複数の画像のうちの最終の画像であった場合には、前進ボタンを押下しても画像が切り替わらない。したがって、表示する画像が存在しないにもかかわらず、ボタンを押下してしまうことになり、無駄な操作を行う可能性があるという問題があった。このような問題は、デジタルカメラだけでなく、撮影した画像を表示する携帯電話、スマートフォン、あるいは保存された画像データを画面に表示する画像表示装置全般に生じる問題である。
【０００５】
本発明は、上記問題を解決するためになされたものであり、複数の画像データから画像を順に表示させるとき、前または後に画像が存在しない場合には、無駄な操作を行うのを防止することができる画像表示装置、画像表示方法、及び画像表示プログラムを提供することを目的とする。
【課題を解決するための手段】
【０００６】
第１の本発明に係る画像表示装置は、複数の画像データを所定の順序で記憶する記憶手段と、前記画像データに基づく画像を表示する表示画面を有する表示手段と、前記表示画面に表示すべき画像を選択する入力手段と、前記入力手段により選択された選択画像を前記表示画面の中央に表示させるとともに、前記順序において前記選択画像に係る画像データの前または後に画像データが存在する場合、当該画像データに基づく前画像及び後画像の少なくとも一方の一部を、前記選択画像を挟む前記画面の側部に表示させる制御手段と、を備え、前記制御手段は、前記入力手段からの入力により、前記表示画面の中央に配置する画像を、前記選択画像から前記前画像または後画像のいずれかに変更する。
【０００７】
この構成によれば、選択された画像データの前または後に画像データが存在する場合、表示画面の中央に配置された選択画像の前または後にある前画像または後画像の一部を、選択画像を挟んで画面の両側に表示させるように構成されている。そのため、表示画面の側部に一部が表示される前画像または後画像の存在により、ユーザは、選択画像の前または後にさらに画像が存在することを視認することができる。したがって、ユーザは前画像または後画像の存在を確認した上で、入力手段により、前画像または後画像を表示させるという操作を行うことができる。一方、前画像または後画像が存在しない場合には、表示画面に表示がなされないため、ユーザは、これをもって前画像または後画像が存在しないことを視認することができる。その結果、前画像または後画像を選択するという無駄な操作が行われるのを防止することができる。
【０００８】
なお、前画像及び後画像が両方存在する場合には、選択画像を挟んだ表示画面の両側にこれらの一部がそれぞれ表示される。前画像または後画像の片方のみが存在する場合には、選択画像のいずれか一方の側部に前画像または後画像の一部が表示される。また、本発明において表示画面の中央とは、幾何学的に完全に中央を意味するのではなく、少なくとも選択画像の全体が画面に収まり、選択画像全体を視認できる程度に表示画面の中央付近に配置されていればよいという意味である。
【０００９】
上記画像表示装置において、制御手段は、前画像及び後画像が表示画面の端部からはみ出している距離を一定にするように制御することができる。例えば、前画像または後画像と、選択画像との間の距離を一定にしていると、記憶手段に、画像のアスペクト比が異なる複数の画像データが記憶されている場合には、前画像または後画像の画面端部からのはみ出し距離が、アスペクト比によって異なる可能性がある。例えば、アスペクト比が１：１の選択画像と、４：６の画像とでは、表示画面端部からのはみ出し距離が相違するため、選択画像の両側にアスペクト比が異なる前画像及び後画像が配置されると、見栄えが悪いという問題がある。また、アスペクト比によっては、画面に表示されなくなるおそれもある。そこで、上記のように、前画像及び後画像が表示画面の端部からはみ出している距離を一定にするように制御すると、アスペクト比が異なる画像であっても、表示画面に統一感がもたらされ、見栄えをよくすることができる。また、どのようなアスペクト比の画像でも必ず、表示画面の端部に表示させることができる。なお、はみ出している距離とは、表示画面の端部から最も離れた位置までの距離をいう。
【００１０】
上記入力手段は、ボタン、レバーなど、種々の態様にすることができるが、例えば、表示画面に配置されるタッチスイッチにより構成することができる。これにより、ユーザは、表示画面の端部に表示される前画像または後画像をタッチすることで、これらの画像を選択画像として表示画面の中央に表示させることができる。タッチ操作としては、例えば、いわゆるタップ操作、フリック操作、またはドラッグ操作などがあり、これらにより、画像の選択を行うことができる。
【００１１】
第２の本発明は、画像データに基づく画像を表示する表示画面と、前記画面に表示すべき画像を選択する入力手段とを有する画像表示装置において、画像を表示する方法であって、所定の順序で配置された複数の画像データに基づく画像から、１つの画像を選択する第１ステップと、選択された選択画像を前記表示画面の中央に表示するとともに、前記順序において前記選択画像に係る画像データの前または後に画像データが存在する場合、当該画像データに基づく前画像または後画像の少なくとも一方の一部を、前記選択画像を挟んで前記表示画面の両側に表示する第２ステップと、前記表示画面の中央に配置する画像を、前記選択画像から前記前画像または後画像のいずれかに変更する第３ステップと、を備えている。
【００１２】
上記第２ステップでは、前画像及び後画像が前記画面の端部からはみ出している距離を一定にすることができる。
【００１３】
第３の本発明に係る画像表示プログラムは、複数の画像データを所定の順序で記憶した記憶手段、前記画像データに基づく画像を表示する表示画面、及び前記表示画面に表示すべき画像を選択する入力手段と、を有する画像表示装置内のコンピュータに、前記複数の画像データに基づく画像から１つの画像を、前記入力手段により、選択させる第１ステップと、選択された選択画像を前記表示画面の中央に表示させるとともに、前記順序において前記選択画像に係る画像データの前または後に画像データが存在する場合、当該画像データに基づく前画像または後画像の少なくとも一方の一部を、前記選択画像を挟んで前記表示画面の側部に表示させる第２ステップと、前記入力手段からの入力があった場合には、前記表示画面の中央に配置する画像を、前記選択画像から前記前画像または後画像のいずれかに変更する第３ステップと、を実行させる。
【００１４】
前記第２ステップでは、前画像及び後画像が前記画面の端部からはみ出している距離を一定にすることができる。
【発明の効果】
【００１５】
本発明よれば、複数の画像データから画像を順に表示させるとき、前または後に画像が存在しない場合に無駄な操作を行うのを防止することができる。
【図面の簡単な説明】
【００１６】
【図１】本発明に係る画像表示装置の一実施形態である情報携帯端末の平面図である。
【図２】図１の情報携帯端末のブロック図である。
【図３】撮影処理のフローチャートである。
【図４】図１の情報携帯端末の表示画面の例である。
【図５】図１の情報携帯端末の表示画面の例である。
【図６】画像データの処理の例を示すブロック図である。
【図７】図１の情報携帯端末の表示画面の例である。
【図８】図１の情報携帯端末の表示画面の例である。
【図９】画像閲覧時の処理を示す画面の平面図である。
【図１０】画像閲覧時の処理を示す画面の平面図である。
【図１１】閲覧処理のフローチャートである。
【図１２】撮影処理のフローチャートである。
【図１３】画像閲覧時の処理を示す画面の平面図である。
【図１４】画像閲覧時の処理を示す画面の平面図である。
【図１５】画像閲覧時の処理を示す画面の平面図である。
【図１６】画像閲覧時の処理を示す画面の平面図である。
【発明を実施するための形態】
【００１７】
以下、本発明に係る画像表示装置をいわゆるスマートフォンなどのカメラ付き情報携帯端末に適用した場合の一実施形態について、図面を参照しつつ説明する。図１は情報携帯端末の平面図、図２は図１の情報携帯端末のブロック図である。
【００１８】
（情報携帯端末の構成）
図１に示すように、この情報携帯端末は、平面視矩形状の筐体１を有し、その前面に矩形状の表示画面２が設けられている。表示画面２は、液晶ディスプレイ、有機ＥＬディスプレイなどで構成され、その表面には、静電容量式、抵抗膜式などの公知のタッチスイッチが配置されており、指で表示画面２をタッチすることで、端末を操作することができるようになっている。また、表示画面２の下側には複数の操作ボタン３が配置されており、これら操作ボタン３によっても端末の操作が可能である。筐体１の背面には、図示を省略するカメラのレンズが配置されており、写真の撮影が可能となっている。
【００１９】
次に、上記情報携帯端末の機能構成について説明する。図２に示すように、この情報携帯端末は、バス１０によって電気的に接続された制御部１１、メモリ１２、ストレージ１３を備えている。このほか、バス１０には、カメラにより撮影された画像を処理する画像処理部１４、表示画面用の表示制御部１５、及び入力用のタッチスイッチ１６が接続されている。制御部１１は、ＣＰＵ(Central Processing Unit)などで構成されている。ストレージ１３は、例えば、ハードディスク、フラッシュメモリなどで構成されるの不揮発性の記憶手段であり、撮影及び画像表示のための処理プログラム、撮影された写真の画像データなどが記憶される。メモリ１２は、アプリケーションプログラムの一時的な作業領域として機能し、画像データを一時的に記憶する領域としても機能する。
【００２０】
画像処理部１４には画像の撮影を行う撮影部１７が電気的に接続されている。撮影部１７は、光学系のレンズ、撮影素子、フラッシュ光源を備えており、レンズから入射した光を撮影素子によってアナログの電気信号に変換するようになっている。撮影素子としては、例えば、ＣＣＤ（Charge Coupled Device）イメージセンサ、ＣＭＯＳ（Complementary Metal Oxide Semiconductor）などを利用することができる。そして、画像処理部１４では、撮影部１７から送られた電気信号を増幅した後、Ａ／Ｄ変換を行ってデジタル信号を生成し、ビットマップなどの形式に変換して本画像データを得る。さらに、この本画像データに対しては、制御部１１からの指令により、必要に応じて透過処理、輪郭強調処理、色再現処理、明るさ補正処理などの補正処理が行われる。こうして補正処理された補正本画像データは、制御部１１からの指令によりストレージ１３に記憶される。その他、本画像データからは、リサイズなどの間引き処理がなされたサムネイル画像データ、及びこれを補正した補正サムネイル画像データが作成される。そして、これらのデータは、制御部１１からの指令によりメモリ１２に記憶される。
【００２１】
表示制御部１５には上述した表示画面２が電気的に接続されており、制御部１１から送信された制御信号に基づき、表示画面２に表示しようとする画像データにしたがって、液晶や有機ＥＬなどの表示画面２の駆動制御を行う。そして、表示画面２には、表示制御部１５を介して送られてくる補正画像データに基づく画像が表示される。
【００２２】
次に、上記のように構成された情報携帯端末における写真の撮影方法について説明する。まず、情報携帯端末の制御部１１は、ストレージ１３に記憶された処理プログラムをメモリ１２に読み出して実行することにより、写真の撮影、及び後述する閲覧処理を実行する。以下、図３のフローチャートを参照しつつ、その処理の実行について説明する。
【００２３】
（撮影処理）
まず、処理プログラムを起動すると（Ｓ１）、表示画面２には、図１に示すような初期画面が表示される。初期画面は、画面上部から中央にかけて延びる矩形状の表示領域２１、画面下部の撮影条件領域２２、及びこれらの領域の間に配置されるズーム表示領域２３の３つの領域を有している。また、初期画面の左端には、撮影した画像を閲覧するための閲覧画面に切り換えるための閲覧切換アイコン２４が配置されている。表示領域２１は、カメラで撮影される画像を表示するファインダとして機能する。撮影条件領域２２には、３種類の撮影条件、すなわち、画像のアスペクト比、撮影状況に応じた画像補正内容、及びフラッシュの有無を示すアイコン２２１，２２２，２２３が表示されている。これら各撮影モードのアイコン２２１，２２２，２２３には、現在選択されている条件が示されている。
【００２４】
より詳細に説明すると、各撮影条件のアイコンをタップ操作すると、図４に示すように、選択できる条件を示すアイコンが列挙されたポップアップ表示２２１ａ，２２２ａ，２２３ａが現れる。この状態で、いずれかのアイコンをタップすると、ポップアップ表示２２１ａ，２２２ａ，２２３ａが閉じて選択された条件がアイコンとして撮影条件領域２２に表示される。例えば、アスペクト比としては、「１：１」，「３：２」，「４：６」，及び「１６：９」が用意されており、これらの中からいずれかを選択する。画像補正内容とは、撮影対象に応じて、生成される画像が最適になるように、オリジナルの画像データを補正する条件のことである。この実施形態では、補正処理を行わない「スタンダード」、夜景を撮影するのに適した「夜景」、人の顔を撮影するのに適した「美肌」、及び料理を撮影するのに適した「料理」という４つの条件が設定されている。また、フラッシュの有無は、フラッシュがなされない「ＯＦＦ」、強制的にフラッシュを行う「フラッシュ」、及びフラッシュの要否の自動判別を行う「ＡＵＴＯ」という３つの条件がある。なお、図４では、説明の便宜上、すべての撮影モードの選択ポップアップ表示２２１ａ，２２２ａ，２２３ａが示されているが、実際は、ポップアップ表示は、１つずつ現れ、１つの撮影条件ごとに選択が行われる。図１に示すように、ズーム表示領域２３には、現在のズームの倍率が示されたアイコン２３１が配置されており、これを指でドラッグ操作をすると、図５に示すように、アイコン２３１を同図の左側にドラッグした場合には倍率が小さくなり、右側にドラッグした場合には倍率が大きくなる。アイコン２３１のドラッグとともに、アイコン２３１に表示される倍率を示す数値も変更される。
【００２５】
図３に戻って、撮影処理について説明を続ける。上記のように初期画面が表示されると、上述した手順で３つの撮影条件、つまり画像補正、ズーム倍率、及びフラッシュの有無の設定を行う（Ｓ２）。これにより、制御部１１から撮影部１７に、ズーム倍率、及びフラッシュの有無を示す信号を伝達される。また画像補正については、制御部１１により、メモリ１２から画像処理部１４に補正パラメータを含む補正条件データが伝達され、画像補正の条件が設定される。こうして、撮影条件が予め設定される。次に、携帯端末背面のカメラレンズを撮影対象物に向け、操作ボタン３を押下することで、撮影を行う（Ｓ３）。上述したように、撮影部１７で生成された電気信号は、Ａ／Ｄ変換された後、ビットマップ形式に変換された本画像データが生成される（Ｓ４）。以下、図６も参照して説明すると、こうして生成された本画像データからは、サムネイル用に間引かれたサムネイル画像データが作成される（Ｓ５）。さらに、本画像データ及びサムネイル画像データに対しては、画像処理部１４で補正処理が行われる。すなわち、予め制御部１１から指令された補正条件データに基づいて、各画像データに補正処理が施され、補正本画像データが生成される。補正処理としては、例えば、輪郭強調処理、色再現処理、明るさ補正処理などにより、選択した補正内容に適した処理が行われる。こうして、補正処理により、本画像データからは補正本画像データが作成され、サムネイル画像データからは、補正サムネイル画像データが作成される（Ｓ６）。その後、補正本画像データは、ストレージ１３に記憶される一方、サムネイル画像データ、補正条件データ、及び補正サムネイル画像データは、一組の画像リストとして、メモリ１２に記憶される（Ｓ７）。このとき、画像リストに、サムネイル画像データ及び補正条件データのみを含ませておき、後に補正条件データに基づいて補正サムネイル画像データを作成してもよい。そして、さらに撮影を続ける場合には（Ｓ８のＹＥＳ）、ステップＳ２に戻って、撮影条件の設定を行い、撮影を続けない場合には（Ｓ８のＮＯ）、撮影処理が終了する。こうして連続して撮影が行われると、メモリ１２及びストレージ１３には、撮影がなされた順番で、補正画像データが記憶される。なお、メモリ１２に記憶される補正画像データは、次に説明するように、この処理プログラム上での閲覧用に用いられる一方、ストレージ１３に記憶された補正画像データは、保存用に用いられ、例えば、携帯端末に予めインストールされている閲覧ソフトなどで閲覧する際に用いられる。
【００２６】
（閲覧処理）
次に、撮影された補正画像データを閲覧する方法について説明する。まず、図１の初期画面から閲覧切換アイコン２４をタップすると、制御部１１は、メモリ１２に記憶された補正サムネイル画像データを表示制御部１５に送信し、図７に示すように、サムネイル画像Ｓとして、表示画面２に一覧表示させる。上記のように、各補正サムネイル画像データは、予めアスペクト比が決められているため、各補正サムネイル画像データのサムネイル画像Ｓは、このアスペクト比に基づいて表示される。この状態で、ユーザが、サムネイル画像Ｓの１つをタップすると、選択された画像（以下、選択画像）Ｋが、図８に示すように、拡大されて表示画面２に表示される。このとき、選択画像Ｋに係る補正サムネイル画像データの前後に補正サムネイル画像データが存在する場合には、その一部が表示画面２に表示される。具体的には、選択画像Ｋを挟んだ両側に前後に存在する画像が表示され、選択画像Ｋの左側に前の画像（以下、前画像）Ｂの一部が表示され、選択画像Ｋの右側に後の画像（以下、後画像）Ａの一部が表示される。以下、このような画像の表示方法について、説明する。
【００２７】
まず、図９に示すように、選択画像Ｋが表示される画面を現在画面Ｐ１として設定する。この現在画面Ｐ１が、表示画面２に一致する。選択画像Ｋの前後に前画像Ｂまたは後画像Ａが存在する場合には、前画像Ｂが表示される仮想的な画面を前画面Ｐ０、後画像Ａが表示される仮想的な画面を後画面Ｐ２として設定する。また、これらの画面の幅はすべて同じＷｐとする。上述したように、各補正補正サムネイル画像データは、予めアスペクト比が決められているため、このアスペクト比に応じて、各画面に表示される大きさが決められている。ここでは、所定の大きさに設定された選択画像Ｋの中心が、現在画面Ｐ１の中心座標Ｃｘ１と一致するように選択画像Ｋが表示される。選択画像Ｋの前後に前画像Ｂまたは後画像Ａが存在する場合には、選択画像Ｋと同様に、各仮想画面Ｐ０，Ｐ２に前画像Ｂ及び後画像Ａが配置される。すなわち、アスペクト比に応じて表示される大きさが決められるとともに、各画像Ｂ，Ａの中心が前画面Ｐ０及び後画面Ｐ２の中心座標Ｃｘ０，Ｃｘ２に配置される。
【００２８】
次に、前画像Ｂの一部を現在画面Ｐ１に表示させる方法を説明する。図１０に示すように、前画像Ｂが、現在画面Ｐ１の左側端部からはみ出す距離は、Ｃと定められている。このＣは、当然に選択画像Ｋの両端部と現在画面Ｐ１の端部との間の距離Ｄよりも小さいことが要件となる。そして、前画像Ｂが、現在画面Ｐ１の端部から距離Ｃだけはみ出す移動距離ΔＸ０を求め、この距離だけ、前画像Ｂを現在画面Ｐ１側に移動させる。なお、ΔＸ０は、以下の式（１）で求められ、前画像Ｂの中心の座標Ｉｘ０は、式（２）で求められる。
【００２９】
ΔＸ０＝＋（Ｗｐ−Ｗｉ０）／２＋Ｃ    （１）
Ｉｘ０＝Ｃｘ０＋ΔＸ０      （２）
同様に、後画像Ａが存在する場合にも後画像Ａが現在画面Ｐ１の右側の端部から距離Ｃだけはみ出すように、移動距離ΔＸ２を求め、この距離だけ、後画像Ａを現在画面Ｐ１側に移動させる。なお、ΔＸ２は、以下の式（３）で求められ、後画像Ａの中心の座標Ｉｘ２は、式（４）で求められる。
【００３０】
ΔＸ２＝Ｃｘ２＋（Ｗｐ−Ｗｉ２）／２＋Ｃ      （３）
Ｉｘ２＝Ｃｘ２＋ΔＸ２      （４）
こうして、現在画面Ｐ１には、選択画像Ｋを挟んで、前画像Ｂと後画像Ａの一部が表示される。以上の処理を図１１のフローチャートを用いて説明する。まず、選択画像Ｋが決定されると（Ｓ１０）、その左側に前画像Ｂが存在する場合には（Ｓ２０のＹＥＳ）、式（１）（２）に基づいて，前画像Ｂの中心の座標Ｉｘ０が決められる（Ｓ３０）。なお、前画像Ｂが存在しない場合には、ステップＳ３０を経ることなく、次のステップに進む（Ｓ２０のＮＯ）。続いて、選択画像Ｋの右側に後画像Ａが存在する場合には（Ｓ４０のＹＥＳ）、式（３）（４）に基づいて，後画像Ａの中心の座標Ｉｘ２が決められる（Ｓ５０）。後画像Ａが存在しない場合には、ステップＳ５０を経ることなく、次のステップに進む（Ｓ４０のＮＯ）。こうして、前画像Ｂ及び後画像Ａの中心座標が決められると、選択画像Ｋが表示されるとともに、アニメーションにより、両画像Ｂ，Ａを初期位置から移動させ、現在画面Ｐ１の端部から一部をはみ出させるように表示させる（Ｓ６０）。
【００３１】
続いて、図８に示す表示画面において、選択画像Ｋを前画像Ｂまたは後画像Ａに切り換える場合について、図１２のフローチャートを参照しつつ説明する。ここでは、図８に示す表示画面に、後画像Ａを選択画像として表示させる場合について説明する。この場合、図１３に示すように、従前の選択画像が前画像Ｂになり、後画像が選択画像Ｋとなる。そして、新たな選択画像Ｋの右側にはさらに後画像Ａが存在する場合がある。表示画面２において、フリック操作などで後画像Ａを選択画像とする操作が行われると、まず、選択画像Ｋ（従前の後画像）の中心位置を移動前の位置に戻す。すなわち、選択画像Ｋの中心座標をＩｘ２からＣｘ２にする（Ｓ１００）。そして、この例では、前画像Ｂ（従前の選択画像）が存在しているので、この前画像Ｂが現在画面Ｐ２からはみ出す位置の座標を求める（Ｓ２００）。すなわち、以下の式にしたがって、前画像Ｂの新たな中心座標Ｉｘ１を算出する。
【００３２】
ΔＸ１＝＋（Ｗｐ−Ｗｉ１）／２＋Ｃ    （５）
Ｉｘ１＝Ｃｘ１＋ΔＸ１      （６）
続いて、選択画像Ｋの右側に後画像Ａが存在する場合には（Ｓ３００のＹＥＳ）、以下の式（７）（８）に基づいて，後画像Ａの中心の座標Ｉｘ３が決められる（Ｓ４００）。なお、後画像Ａが存在しない場合には、ステップＳ４００を経ることなく、次のステップに進む（Ｓ３００のＮＯ）。こうして、前画像Ｂ及び後画像Ａの座標Ｉｘ１、Ｉｘ３が決められると、図１４に示すように、アニメーションにより、選択画像Ｋ（従前の後画像）が表示画面２の中心に移動するとともに、前画像Ｂ及び後画像Ａを初期位置から移動させ、表示画面２の端部から一部をはみ出させるように表示させる（Ｓ５００）。
【００３３】
ΔＸ３＝＋（Ｗｐ−Ｗｉ３）／２＋Ｃ    （７）
Ｉｘ３＝Ｃｘ３＋ΔＸ３      （８）
こうして、表示画面２の中央に表示されるべき画像が選択されるたびに上記のような演算が行われ、表示画面２の端部には前画像Ｂ及び後画像Ａの一部が表示される。なお、上記の説明では後画像Ａを選択する場合について説明したが、前画像Ｂを選択する場合においても同様の演算が行われる。
【００３４】
以上の説明のように、本実施形態によれば、選択された補正サムネイル画像データの前または後に画像データが存在する場合、表示画面２の中央に選択画像Ｋを表示するとともに、これを挟むように、前画像Ｂ及び後画像Ａの一部を表示させている。そのため、ユーザは、選択画像Ｋの前または後にさらに画像が存在することを視認することができる。したがって、ユーザは前画像Ｂまたは後画像Ａの存在を確認した上で、フリック操作により、前画像Ｂまたは後画像Ａを表示させるという操作を行うことができる。一方、前画像Ｂまたは後画像Ａが存在しない場合には、画面に表示がなされないため、ユーザは、これをもって前画像Ｂまたは後画像Ａが存在しないことを視認することができる。その結果、前画像または後画像を選択するという無駄な操作が行われるのを防止することができる。
【００３５】
また、前画像Ｂ及び後画像Ａが表示画面２の端部からはみ出している距離Ｃを一定にするように制御しているため、アスペクト比が異なる画像が並んでいる場合であっても、画面に統一感がもたらされ、見栄えをよくすることができる。
【００３６】
なお、上記実施形態では、前画像Ｂ及び後画像Ａが配置される仮想画面Ｐ０，Ｐ２を設定し、そこから各画像が移動すべき中心座標Ｃｘ０，Ｃｘ２を算出して移動させているが、次のようにすることもできる。すなわち、図８に示すように、画像Ｂ及び後画像Ａにおいて、表示画面２の端部からはみ出す部分の画像データを予め切り出しておき、これを表示画面２の所定の位置に表示するという方法を採ることもできる。例えば、選択画像Ｋが決められた後、この前後に補正サムネイル画像データが存在する場合には、各補正サムネイル画像データにおいて、端部からＣの距離までの画像データを生成し、選択画像Ｋの表示とともに、切り出した画像データを表示することができる。
【００３７】
また、図１３及び図１４に示す例では、フリック操作が行われた場合、一旦、各画像を初期位置に戻した上で、移動後の座標を算出して表示しているが、次のようにすることもできる。例えば、フリック操作などで後画像を表示させる場合、図１５に示すような現在の表示画面２における各画像の座標から、図１６に示すような演算後の画像位置へ直接移動させることもでき、さらに、これをアニメーションで表示させることもできる。すなわち、前画像Ｂ及び後画像Ａは、現在の表示画面２で既に呼び出させているので、これを利用して次に遷移する画像を表示することもできる。
【００３８】
以上、本発明の実施形態について説明したが、本発明はこの実施形態に限定されることはなく、その趣旨を逸脱しない限りにおいて、種々の変更が可能である。例えば、上記実施形態では、タッチスイッチにより、画像の操作を行っているが、これに限定されるものではなく、操作ボタンなどで、画像の選択を行うこともできる。
【００３９】
また、上記実施形態では、前画像Ｂ及び後画像Ａが表示画面２の端部からはみ出す距離Ｃを一定としているが、前画像Ｂ及び後画像Ａと、選択画像Ｋとの間の距離を一定とする制御を行うこともできる。
【００４０】
上記実施形態では、本発明の画像表示装置をカメラ付きの情報携帯端末に適用した例を示したが、カメラが設けられていない装置、例えばパーソナルコンピュータなどのデバイスにも適用することができる。この場合、デバイスの外部で撮影された画像データを用い、これを閲覧する際に上記方法，処理プログラムを適用することができる。
【符号の説明】
【００４１】
１１  制御部（制御手段）
１２  メモリ（第１の記憶手段）
１３  ストレージ（第２の記憶手段）
１５  表示制御部（表示手段）
１６  タッチスイッチ（入力手段）
１７  撮影部（撮影手段）
２  表示画面
３  操作ボタン（入力手段）
【図１】
2012128591.tif 000003
【図２】
2012128591.tif 000004
【図３】
2012128591.tif 000005
【図４】
2012128591.tif 000006
【図５】
2012128591.tif 000007
【図６】
2012128591.tif 000008
【図７】
2012128591.tif 000009
【図８】
2012128591.tif 000010
【図９】
2012128591.tif 000011
【図１０】
2012128591.tif 000012
【図１１】
2012128591.tif 000013
【図１２】
2012128591.tif 000014
【図１３】
2012128591.tif 000015
【図１４】
2012128591.tif 000016
【図１５】
2012128591.tif 000017
【図１６】
2012128591.tif 000018